(57)【特許請求の範囲】
【請求項１】
発振手段で生成されたバイアス電流に高域強調手段で高域が強調された記録電流を重畳した第１重畳電流を記録ヘッドに流すことによって音声信号を磁気テープに記録する磁気記録装置であって、
前記バイアス電流と前記高域強調手段によって高域が強調されていない前記記録電流との第２重畳電流から前記バイアス電流を抽出する抽出手段、
前記抽出手段によって抽出された前記バイアス電流の大きさに応じて前記発振手段の制御電圧を発生する制御電圧発生手段、
前記高域が強調されていない記録電流に高域成分が含まれているか否かを判別する判別手段、および
前記判別手段の判別結果に応じて前記制御電圧を調整する調整手段を備える、磁気記録装置。
【請求項２】
前記調整手段は、前記高域が強調されていない記録電流に高域成分が含まれるとき、前記制御電圧を大きくする、請求項１記載の磁気記録装置。
【発明の詳細な説明】
【０００１】
【産業上の利用分野】
この発明は磁気記録装置に関し、特にたとえば、ビデオテープレコーダやオーディオテープレコーダなどに適用され、音声信号を磁気テープに記録する、磁気記録装置に関する。
【０００２】
【従来の技術】
この種の磁気記録装置では、音声信号を磁気テープに記録するために、その音声信号すなわち記録電流に記録バイアス電流を重畳する必要がある。この記録バイアス電流を調整するために図６に示す従来の磁気記録装置１では、制御電圧発生回路２が重畳電流を検出して制御電圧を生成し、これによって発振回路３の発振周波数を制御していた。
【０００３】
【発明が解決しようとする課題】
しかし、このような従来技術では、制御電圧発生回路２には記録電流と記録バイアス電流との重畳電流が与えられるため、記録アンプ４のダイナミックレンジをあまり大きくすると制御電圧発生回路２のダイナミックレンジを保持できず、結果として音声信号を適切に記録できるなくなる場合があった。一方、記録アンプ４のダイナミックレンジを小さくすると、記録された音声信号のＳ／Ｎが悪くなっていた。
【０００４】
それゆえに、この発明の主たる目的は、Ｓ／Ｎが改善された音声信号を磁気テープに適切に記録できる、磁気記録装置を提供することである。
【０００５】
この発明は、発振手段で生成されたバイアス電流に高域強調手段で高域が強調された記録電流を重畳した第１重畳電流を記録ヘッドに流すことによって音声信号を磁気テープに記録する磁気記録装置であって、バイアス電流と高域強調手段によって高域が強調されていない記録電流との第２重畳電流からバイアス電流を抽出する抽出手段、抽出手段によって抽出されたバイアス電流の大きさに応じて発振手段の制御電圧を発生する制御電圧発生手段、高域が強調されていない記録電流に高域成分が含まれているか否かを判別する判別手段、および判別手段の判別結果に応じて制御電圧を調整する調整手段を備える、磁気記録装置である。
【０００６】
【作用】
記録電流と記録バイアス電流との重畳電流がたとえばハイパスフィルタ（ＨＰＦ）のような抽出手段に与えられ、記録バイアス電流が抽出される。この記録バイアス電流の大きさに従って、たとえば制御電圧発生回路のような制御電圧発生手段が制御電圧を発生する。この制御電圧に基づいて発振手段が制御され、それによって最適記録バイアス電流が生成される。
【０００７】
なお、記録電流に高域成分が含まれているか否かがたとえばバンドパスフィルタ（ＢＰＦ）のような判別手段で判別され、その判別結果に応じて、たとえば制御電圧調整回路のような調整手段が制御電圧の大きさを調整する。
【０００８】
【発明の効果】
この発明によれば、抽出手段で抽出された記録バイアス電流に応じて制御電圧を発生するようにしたため、記録電流のダイナミックレンジを大きくすることができ、Ｓ／Ｎの改善された信号を磁気テープに適切に記録できる。
なお、記録電流に高域成分が含まれているか否かの判別結果に応じて制御電圧を調整するようにすれば、高域成分をよりクリアに記録できる。
【０００９】
この発明の上述の目的，その他の目的，特徴および利点は、図面を参照して行う以下の実施例の詳細な説明から一層明らかとなろう。
【００１０】
【実施例】
図１に示すこの実施例のビデオテープレコーダ１０は、入力端子１２を含む。入力端子１２は、コンデンサＣ１を介してスイッチＳ１の一端に接続される。スイッチＳ１の他端は記録アンプ１４の一方入力端に接続される。記録アンプ１４の出力端は、抵抗Ｒ１を介して記録アンプ１４の他方入力端に帰還され、その他方入力端は抵抗Ｒ２を介して接地される。記録アンプ１４の出力端は、さらに、抵抗Ｒ３と並列接続された抵抗Ｒ４およびコンデンサＣ２とを介してコンデンサＣ３の一端に接続される。また、コンデンサＣ３の他端がＡ／Ｃヘッド１８の一端に接続される。
【００１１】
一方、抵抗Ｒ３と抵抗Ｒ４（およびコンデンサＣ２）との接続点Ａは、抽出手段の一例であるＨＰＦ１６の入力に与えられる。ＨＰＦ１６の出力は、制御電圧発生回路２０の入力端に接続され、その出力端が発振回路２２に接続される。発振回路２２の出力端は、抵抗Ｒ５を介してＡ／Ｃヘッド１８の他端に接続され、このＡ／Ｃヘッド１８の他端はさらにスイッチＳ２を介して接地される。
【００１２】
音声信号を記録するとき、スイッチＳ１がオンされると、入力端子１２から入力された音声信号が、記録アンプ１４に与えられる。この音声信号は、記録アンプ１４で増幅されかつ抵抗Ｒ３で電流に変換されることによって記録電流となる。この記録電流は、並列接続された抵抗Ｒ４およびコンデンサＣ２によって高域を強調され、結合コンデンサＣ３を介してＡ／Ｃヘッド１８に到達する。
【００１３】
一方、記録時にはスイッチＳ２はオフされており、発振回路２２で生成された発振周波数信号はレベル調整用の抵抗Ｒ５を介して記録バイアス電流としてＡ／Ｃヘッド１８に与えられる。他方、結合コンデンサＣ３を介して記録電流がＡ／Ｃヘッド１８に与えられるため、記録バイアス電流と記録電流との重畳電流がＡ／Ｃヘッド１８を流れ、これによって交流バイアスされた音声信号が磁気テープ（図示せず）に記録される。
【００１４】
また、前述の接続点Ａには、記録バイアス電流と高域が強調されていない記録電流との重畳電流が取り出され、それがＨＰＦ１６に与えられ、記録バイアス電流のみがＨＰＦ１６によって抽出される。すなわち、ＨＰＦ１６は、図２に示すように５０ｋＨｚ程度から高域を抽出するフィルタであり、これによって７０ｋＨｚ程度の周波数をもつ記録バイアス電流が抽出される。なお、記録電流の周波数はせいぜい２０ｋＨｚ程度までであるので、ＨＰＦ１６によって記録電流は抽出されることはない。
【００１５】
そして、制御電圧発生回路２０は、ＨＰＦ１６により抽出した記録バイアス電流の電流値を検出し、その電流値に応じた大きさの発振回路２２をフィードバック制御するための制御電圧を発生する。したがって、発振回路２２が、記録バイアス電流を一定に保つように制御される。
この実施例によれば、記録電流と記録バイアス電流とは互いに影響を受けないので、記録アンプ１４および制御電圧発生回路２０のダイナミックレンジを大きくすることができ、結果としてＳ／Ｎの改善された音声信号を磁気テープへ記録することができる。
【００１６】
図３を参照して、他の実施例のビデオテープレコーダ１０は、記録アンプの出力端に抵抗Ｒ６を介して音声信号に高域成分が含まれているかどうかを判別するための判別回路２４が設けられ、判別回路２４の出力端と制御電圧発生回路２０の出力端とが制御電圧調整回路２６に接続され、そして制御電圧調整回路２６が発振回路２２を制御する点を除き、図１実施例と同様であるため、同じ回路に同じ参照符号を付すことによって重複した説明を省略する。
【００１７】
判別回路２４および制御電圧発生回路２６は図４に示すように構成される。すなわち、判別回路２４は、抵抗Ｒ６で電流変換された記録電流を受けるＢＰＦ３０を含み、その出力端は、ダイオードＤ１を介してコンパレータ３２のプラス入力端に接続される。また、コンパレータ３２のプラス入力端は、コンデンサＣ２０を介して接地される。コンパレータ３２のマイナス入力端には、定電圧源Ｖ１が接続される。コンパレータ３２の出力端は、制御電圧調整回路２６の抵抗Ｒ２０を介してトランジスタＴ２０のベースに接続される。また、トランジスタＴ２０のベースはコンデンサＣ２１を介して接地される。トランジスタＴ２０のエミッタは接地され、そのコレクタは抵抗Ｒ２１および抵抗Ｒ２２を介し制御電圧発生回路２０の出力端に接続される。抵抗Ｒ２１と抵抗Ｒ２２との接続点は、抵抗Ｒ２３を介してオペアンプ３４のプラス入力端に接続される。オペアンプ３４の出力端は、抵抗Ｒ２４を介してトランジスタＴ２１のベースに接続される。トランジスタＴ２１のエミッタはバイアス３６に接続され、そのコレクタは抵抗Ｒ２５および抵抗Ｒ２６を介して接地される。トランジスタＴ２１のコレクタと抵抗Ｒ２５との接続点Ａは、発振回路２２の入力端に接続され、抵抗Ｒ２５と抵抗Ｒ２６との接続点はオペアンプ３４のマイナス入力端に接続される。
【００１８】
記録電流が判別回路２４のＢＰＦ３０に与えられると、ＢＰＦ３０は所定の帯域のみを抽出する。なお、ＢＰＦ３０は図５に示すように略７ｋＨｚから２０ｋＨｚを通過させる特性をもつので、７０ｋＨｚ程度の周波数をもつ記録バイアス電流は通過させず、７ｋＨｚ以上の高域記録電流のみを通過させる。ＢＰＦ３０で抽出された記録電流はダイオードＤ１により整流されるとともに、コンデンサＣ２０により平滑され平滑電圧がコンパレータ３２のプラス入力端に入力される。また、定電圧源Ｖ１から所定の電圧がマイナス入力端に入力される。コンパレータ３２はプラス入力端とマイナス入力端との入力のレベルを比較し、プラス入力端のレベルが高ければハイレベル信号を、プラス入力端のレベルが低ければローレベル信号を出力する。すなわち、判別回路２４からは、記録信号に高域成分が含まれる場合にはハイレベル信号が出力され、記録信号に高域成分が含まれない場合にはローレベル信号が出力される。
【００１９】
判別回路２４から制御電圧調整回路２６にローレベル信号が入力された場合には、トランジスタＴ２０は導通しないため、制御電圧発生回路２０の出力電圧のみが、抵抗Ｒ２２および抵抗Ｒ２３を介してオペアンプ３４のプラス入力端に入力される。オペアンプ３４は、プラス入力端からの入力電圧とマイナス入力端からの入力電圧とのレベル差信号を出力する。このレベル差信号は抵抗Ｒ２４により電流に変換され、トランジスタＴ２１のベースに与えられる。このため、そのベース電流に応じたコレクタ電流が抵抗Ｒ２５および抵抗Ｒ２６を流れ、接続点Ｂに電圧を生じる。この接続点Ｂの電圧が、発振回路２２の制御電圧となる。また、オペアンプ３４のマイナス入力端には、抵抗Ｒ２５と抵抗Ｒ２６との接続点に生じる電圧が入力される。
【００２０】
すなわち、記録信号に高域が含まれない場合、発振回路２２の制御電圧は、制御電圧発生回路２０からの出力電圧によってのみ制御される。
また、コンパレータ３２から制御電圧調整回路２６にハイレベル信号が入力された場合には、そのハイレベル信号に基づいてトランジスタＴ２０が導通する。このため、制御電圧発生回路２０の出力電圧は、抵抗２１と抵抗Ｒ２２とによって分圧される。したがって、オペアンプ３４のプラス入力端の入力電圧は、判別回路２４からの出力がローレベル信号である場合に比べて低くなる。しかし、オペアンプアンプ３４は、プラス入力端の入力電圧を基準としているので、プラス入力端の入力電圧が変動した場合、それに応じてマイナス入力端の入力電圧が変動する。すなわち、プラス入力端の入力電圧のレベルが低くなると、マイナス入力端の入力電圧が高くなる。したがって、抵抗Ｒ２６にかかる電圧が一瞬の間だけ高くなる。このため、接続点Ｂの電圧が高くなり、発振回路２２の制御電圧も高くなる。そして、記録信号に高域が含まれなくなると、再びもとの状態に戻る。すなわち、記録電流に高域が含まれる場合、発振回路２２の制御電圧は大きくされ、これによって記録バイアス電流が少なくなる。
【００２１】
この実施例によれば、上述の実施例と同様に制御電圧発生回路２０には記録バイアス電流しか与えられないので、記録アンプ１４および制御電圧発生回路２０のダイナミックレンジを大きくできる。また、制御電圧調整回路２６により発振回路２２の制御電圧を変えることができるので、記録電流の周波数に応じた記録バイアス電流を生成できる。すなわち、記録信号に高域成分が含まれる場合には、発振回路２２の制御電圧を高くして記録バイアス電流を少なくし、記録電流に高域成分が含まれない場合には、制御電圧を低くして記録バイアス電流を多くしている。その結果、磁気テープにＳ／Ｎが改善された高域音声信号がクリアに記録される。
【００２２】
なお、この実施例ではビデオテープレコーダを用いているが、オーディオテープレコーダーなどの磁気記録装置を用いてもよいことはもちろんである。
【００２３】
【図面の簡単な説明】
【図１】この発明の一実施例を示す図解図である。
【図２】図１実施例に使用するＨＰＦの特性を示すグラフである。
【図３】その他の実施例を示す図解図である。
【図４】図３実施例に用いる判別回路および制御電圧調整回路を詳しく説明した回路図である。
【図５】その他の実施例に使用するＢＰＦの特性を示すグラフである。
【図６】従来のビデオテープレコーダを示す図解図である。
【符号の説明】
１０  …ビデオテープレコーダ
１４  …記録アンプ
１６  …ＨＰＦ
１８  …Ａ／Ｃヘッド
２０  …制御電圧発生回路
２２  …発振回路
２４  …判別回路
２６  …制御電圧調整回路
【図１】
0003540525.tif 000002
【図２】
0003540525.tif 000003
【図３】
0003540525.tif 000004
【図４】
0003540525.tif 000005
【図５】
0003540525.tif 000006
【図６】
0003540525.tif 000007